(57)【要約】      （修正有）【課題】入浴後に乾燥させ且つ清掃時に邪魔にならないようするため、床に置かず壁面で収納できるようにする湯おけを提供する。【解決手段】底面または側面にマグネット２を備えた湯おけ１は、浴室壁面に取り付けることができ、湯おけ１を入浴で使用した後に乾燥させたり清掃時に邪魔にならないよう収納させることができる。【選択図】図１
0003220857.tif 000002
【実用新案登録請求の範囲】
【請求項１】
どれか一方の面にマグネットを備え浴室の壁面に取り付けられることを特徴とする湯おけ。
【考案の詳細な説明】
【技術分野】
【０００１】
本考案は、浴室で使用する湯おけに関するものである。
【背景技術】
【０００２】
入浴して浴室が濡れると、浴室内にカビを発生させないよう換気扇を回し窓を開放して換気・乾燥をさせることが多い。同時に入浴時に使用した道具類も、カビを発生させない工夫がなされた物が多い。
【０００３】
例えばステンレス製で水はけの良い構造でボトル類を収容するラックや、持ち手に紐がついていて引っ掛けられる洗浄用ブラシ等がある。また固形石けんが濡れたままだと溶けてしまい不経済なこともあり、石けん置きには水切りする構造が必ずと言ってもいい程に見られる。更に石けん置きやボトル類を収容する物を浴室の床に置くのではなく、壁面に取り付けて不使用時の省スペース化と水はけをより良くする発明、考案が従来よりなされている。
【先行技術文献】
【特許文献】
【０００４】
【特許文献１】特開２００２−１４２９５８号公報
【特許文献２】実開昭５６−１３７７００号公報
【考案の概要】
【考案が解決しようとする課題】
【０００５】
しかしこれら発明、考案は湯おけに関するものではない。湯おけは床に置いておくと、底面は濡れた床と湯おけとの間に水が被膜しカビが発生しやすく、湯おけ内側もシャワー等による水滴が溜まることでカビが発生しやすくなる。もちろん水切りできる構造にしたら湯が汲めなくなってしまう。また浴室の清掃時には湯おけを床に置いていると邪魔になる。
【０００６】
よって本考案は、従来になかった湯おけの乾燥、収納に関して使い勝手が良いものを提供することを目的とする。
【課題を解決するための手段】
【０００７】
上記課題を解決するため、本考案の湯おけはどれか一方の面にマグネットを備え浴室の壁面に取り付けられることを特徴とする。
【考案の効果】
【０００８】
上記した本考案にあって、湯おけを床に置かずマグネットで壁面に取り付けることで、濡れた床から湯おけを離すことができ乾燥させやすくなる。また、マグネットを備え付ける位置によっては湯おけ底面が床と垂直になるため自然に水が切れる。更に湯おけを壁面に取り付けて収納すれば、床が広くなり整理整頓された浴室になる。
【図面の簡単な説明】
【０００９】
【図１】マグネットを底面に備えた湯おけを示す斜視図である。
【図２】湯おけの形状やマグネットを備える面の応用例を示す図である。
【図３】湯おけを浴室壁面に取り付けた状態を示す図である。
【考案を実施するための形態】
【００１０】
図１に示す湯おけ１は、底面にマグネット２を備えたものである。
【実施例】
【００１１】
鋼板が使用されたものやステンレス製、ほうろう製の浴室壁面であればマグネットを取り付けることができる。また、湯おけがどんな形状であっても底面等が平坦な面であればマグネットを備えやすい。
【００１２】
湯おけ１は底面にマグネット２を備えており、入浴で使用した後に浴室壁面１０へ取り付けて湯おけを乾燥、収納することができる。
【００１３】
更に湯おけのどれか一方の面を平坦にすることでマグネットを備えることができる。この場合、湯おけを逆さまにして壁面に取り付けることができ、特に湯おけ内側の乾燥には効果的である。また取っ手が湯おけに付いていれば壁面の取り付け、取り外しにも非常に使いやすくなる。
【００１４】
なお、湯おけを壁面に取り付ける手段として石けん置き等で見られる吸盤も挙げられるが、吸盤だと湯おけの底面に備えるのは壁面との吸着力が都度異なる可能性があり、吸盤が壁面に強力に付き過ぎた場合に引っ張る負荷が高くなり危険である。凹凸面に使用できないことを考慮すると実用的でないことと、湯おけの重さに吸盤の吸着力が及ばないこともあり、湯おけについては吸盤よりもマグネットの方が使用に向いた手段と考えられる。
【符号の説明】
【００１５】
１、３〜５、９  湯おけ
２、６〜８  マグネット
１０  浴室壁面
【図１】
0003220857.tif 000003
【図２】
0003220857.tif 000004
【図３】
0003220857.tif 000005
【手続補正書】
【提出日】平成31年2月7日(2019.2.7)
【手続補正１】
【補正対象書類名】明細書
【補正対象項目名】全文
【補正方法】変更
【補正の内容】
【考案の詳細な説明】
【技術分野】
【０００１】
本考案は、浴室で使用する湯おけに関するものである。
【背景技術】
【０００２】
入浴して浴室が濡れると、浴室内にカビを発生させないよう換気扇を回し窓を開放して換気・乾燥をさせることが多い。同時に入浴時に使用した道具類も、カビを発生させない工夫がなされた物が多い。
【０００３】
例えばステンレス製で水はけの良い構造でボトル類を収容するラックや、持ち手に紐がついていて引っ掛けられる洗浄用ブラシ等がある。また固形石けんが濡れたままだと溶けてしまい不経済なこともあり、石けん置きには水切りする構造が必ずと言ってもいい程に見られる。更に石けん置きやボトル類を収容する物を浴室の床に置くのではなく、壁面に取り付けて不使用時の省スペース化と水はけをより良くする発明、考案が従来よりなされている。
【先行技術文献】
【特許文献】
【０００４】
【特許文献１】特開２００２−１４２９５８号公報
【特許文献２】実開昭５６−１３７７００号公報
【考案の概要】
【考案が解決しようとする課題】
【０００５】
しかしこれら発明、考案は湯おけに関するものではない。湯おけは床に置いておくと、底面は濡れた床と湯おけとの間に水が被膜しカビが発生しやすく、湯おけ内側もシャワー等による水滴が溜まることでカビが発生しやすくなる。もちろん水切りできる構造にしたら湯が汲めなくなってしまう。また浴室の清掃時には湯おけを床に置いていると邪魔になる。
【０００６】
よって本考案は、従来になかった湯おけの乾燥、収納に関して使い勝手が良いものを提供することを目的とする。
【課題を解決するための手段】
【０００７】
上記課題を解決するため、本考案の湯おけは底面または側面にマグネットを備え浴室の壁面に取り付けられることを特徴とする。
【考案の効果】
【０００８】
上記した本考案にあって、湯おけを床に置かずマグネットで壁面に取り付けることで、濡れた床から湯おけを離すことができ乾燥させやすくなる。また、マグネットを備え付ける位置によっては湯おけ底面が床と垂直になるため自然に水が切れる。更に湯おけを壁面に取り付けて収納すれば、床が広くなり整理整頓された浴室になる。
【図面の簡単な説明】
【０００９】
【図１】マグネットを底面に備えた湯おけを示す斜視図である。
【図２】湯おけの形状やマグネットを備える面の応用例を示す図である。
【図３】湯おけを浴室壁面に取り付けた状態を示す図である。
【考案を実施するための形態】
【００１０】
図１に示す湯おけ１は、底面にマグネット２を備えたものである。
【実施例】
【００１１】
鋼板が使用されたものやステンレス製、ほうろう製の浴室壁面であればマグネットを取り付けることができる。また、湯おけがどんな形状であっても底面等が平坦な面であればマグネットを備えやすい。
【００１２】
湯おけ１は底面にマグネット２を備えており、入浴で使用した後に浴室壁面１０へ取り付けて湯おけを乾燥、収納することができる。
【００１３】
更に湯おけの側面を平坦にすることでマグネットを備えることができる。この場合、湯おけを逆さまにして壁面に取り付けることができ、特に湯おけ内側の乾燥には効果的である。また取っ手が湯おけに付いていれば壁面の取り付け、取り外しにも非常に使いやすくなる。
【００１４】
なお、湯おけを壁面に取り付ける手段として石けん置き等で見られる吸盤も挙げられるが、吸盤だと湯おけの底面に備えるのは壁面との吸着力が都度異なる可能性があり、吸盤が壁面に強力に付き過ぎた場合に引っ張る負荷が高くなり危険である。凹凸面に使用できないことを考慮すると実用的でないことと、湯おけの重さに吸盤の吸着力が及ばないこともあり、湯おけについては吸盤よりもマグネットの方が使用に向いた手段と考えられる。
【符号の説明】
【００１５】
１、３〜５、９  湯おけ
２、６〜８  マグネット
１０  浴室壁面
【手続補正２】
【補正対象書類名】実用新案登録請求の範囲
【補正対象項目名】全文
【補正方法】変更
【補正の内容】
【実用新案登録請求の範囲】
【請求項１】
底面または側面にマグネットを備え浴室の壁面に取り付けられることを特徴とする湯おけ。